(57)【要約】【課題】本発明の目的は、パネル部材同士の連結容易性を高めるとともに、様々な方向への連結が可能となるパネル部材を提供することである。【解決手段】パネル部材（１００、３００）は、板状の合成樹脂で構成される。パネルの上端、下端、左端、または右端のうちの少なくとも一端に、パネル部材同士を連結させるための連結形状（１０３、１０４、３０３、３０４）が形成される。連結形状は、少なくとも２つの凸部（１０３、３０３）と少なくとも２つの凹部（１０４、３０４）で構成される。凸部は、他のパネル部材の凹部に嵌る形状である。凸部は、連結形状が形成された端に対して平行な方向に貫通する連結孔（１０２）が設けられる。【選択図】図１
2020105689.tif 000002
【特許請求の範囲】
【請求項１】
板状の合成樹脂で構成されたパネル部材であって、
上端、下端、左端、または右端のうちの少なくとも一端に、パネル部材同士を連結させるための連結形状が形成され、
前記連結形状は、少なくとも２つの凸部と少なくとも２つの凹部で構成され、
前記凸部は、他のパネル部材の前記凹部に嵌る形状であり、
前記凸部は、前記連結形状が形成された端に対して平行な方向に貫通する連結孔が設けられる、パネル部材。
【請求項２】
前記パネル部材の前記連結形状を前記他のパネル部材の前記連結形状に篏合した場合に、それぞれの前記連結孔が通貫するように構成され、
それぞれの前記連結孔に連結軸を通すことで、前記パネル部材と前記他のパネル部材が連結される、請求項１に記載のパネル部材。
【請求項３】
前記連結軸は、金属製の材質で構成され、前記パネル部材と前記他のパネル部材が連結される、請求項２に記載のパネル部材。
【請求項４】
前記連結軸は、木材で構成され、前記パネル部材と前記他のパネル部材が連結される、請求項２に記載のパネル部材。
【請求項５】
前記連結軸は、前記パネル部材よりも強度の高い合成樹脂で構成され、前記パネル部材と前記他のパネル部材が連結される、請求項２に記載のパネル部材。
【請求項６】
請求項２乃至請求項５のいずれか一項に記載のパネル部材と連結軸を用いた建築物。
【請求項７】
請求項２乃至請求項５のいずれか一項に記載のパネル部材と連結軸を用いた救命ボート。
【発明の詳細な説明】
【技術分野】
【０００１】
本発明は、パネル部材に関し、特に連結容易性を高めたパネル部材に関する。
【背景技術】
【０００２】
従来、他の部材との締結または他の発泡体パネルとの締結が容易な発泡体パネルが知られている（例えば、特許文献１）。
【先行技術文献】
【特許文献】
【０００３】
【特許文献１】特開２０１８−１２３４９３号公報
【発明の概要】
【発明が解決しようとする課題】
【０００４】
しかし、特許文献１に示す発泡体パネルは、締結部を介して複数の発泡体パネルが締結される構成であるが、その構造上、一方向にのみ複数の発泡体パネルを締結することしかできないという課題がある。
【０００５】
本発明は、このようなことに鑑みてなされたものであり、パネル部材同士の連結容易性を高めるとともに、様々な方向への連結が可能となるパネル部材を提供することである。
【課題を解決するための手段】
【０００６】
上記目的は、
板状の合成樹脂で構成されたパネル部材（１００、３００）であって、
上端、下端、左端、または右端のうちの少なくとも一端に、パネル部材同士を連結させるための連結形状（１０３、１０４、３０３、３０４）が形成され、
前記連結形状は、少なくとも２つの凸部（１０３、３０３）と少なくとも２つの凹部（１０４、３０４）で構成され、
前記凸部は、他のパネル部材の前記凹部に嵌る形状であり、
前記凸部は、前記連結形状が形成された端に対して平行な方向に貫通する連結孔（１０２）が設けられる、パネル部材（１００、３００）、によって達成される。
【０００７】
また、上記目的は、
前記パネル部材の前記連結形状を前記他のパネル部材の前記連結形状に篏合した場合に、それぞれの前記連結孔が一気通貫するように構成され、
それぞれの前記連結孔に連結軸（２００）を通すことで、前記パネル部材と前記他のパネル部材が連結される、上記の記載のパネル部材、によっても達成される。
【０００８】
また、上記目的は、
前記連結軸は、金属製の材質で構成され、前記パネル部材と前記他のパネル部材が連結される、上記のパネル部材、によっても達成される。
【０００９】
また、上記目的は、
前記連結軸は、木材で構成され、前記パネル部材と前記他のパネル部材が連結される、上記のパネル部材、によっても達成される。
【００１０】
また、上記目的は、
前記連結軸は、前記パネル部材よりも強度の高い合成樹脂で構成され、前記パネル部材と前記他のパネル部材が連結される、上記のパネル部材、によっても達成される。
【発明の効果】
【００１１】
本発明によれば、連結容易性を高めるとともに、様々な方向への連結が可能となるパネル部材を提供することができる。
【図面の簡単な説明】
【００１２】
【図１】本発明の第１の実施形態によるパネル部材１００を説明する図である。
【図２】本発明の第１の実施形態によるパネル部材１００を説明する図である。
【図３】本発明の第１の実施形態によるパネル部材３００を説明する図である。
【図４】本発明の第１の実施形態によるパネル部材３００を用いた部屋設備４００を説明する図である。
【図５】本発明の第１の実施形態によるパネル部材３００を用いた部屋設備４００、５００を説明する図である。
【図６】本発明の第１の実施形態によるパネル部材３００を用いた集合部屋設備４５０を説明する図である。
【図７】本発明の第１の実施形態によるパネル部材１００、３００を用いた救命筏６００を説明する図である。
【図８】本発明の第２の実施形態によるパネル部材１０００を説明する図である。
【図９】本発明の第２の実施形態によるパネル部材１０００を用いたフロート１５００を説明する図である。
【図１０】本発明の第２の実施形態によるパネル部材２０００を説明する図である。
【図１１】本考案の第２の実施形態によるパネル部材２０００を用いたフロート２５００を説明する図である。
【図１２】本発明の第２の実施形態によるパネル部材２０００を用いた避難用集合部屋設備２５００の見取り図である。
【図１３】本発明の第２の実施形態によるパネル部材１０００、２０００を用いた避難用集合部屋設備３０００の見取り図である。
【発明を実施するための形態】
【００１３】
以下、図１〜図７を用いて、本発明の第１の実施形態によるパネル部材１００、３００を説明する。なお、以下の全ての図面においては、理解を容易にするため、各構成要素の寸法や比率などは適宜異ならせて図示する場合がある。また、同じ構成については、符号を同一にすることでその説明を省略する場合がある。なお、外観に表れない隠れ線を点線にて表している。
【００１４】
図１は、本実施形態によるパネル部材１００とパネル部材１００同士を連結する連結軸２００の斜視図である。
【００１５】
パネル部材１００は、板状で構成され、板状の左端及び右端に、凸部１０３が６個、凹部１０４が６個からなる連結形状１０１ａ、１０１ｂがそれぞれ設けられる。凸部１０３には、凸部１０３が設けられた端部に対して平行な方向に伸びる連結孔１０２が設けられる。連結孔１０２の内径は、連結軸２００が通る大きさである。また、凸部１０３は、凹部１０４に嵌る形状であり、パネル部材１００同士を連結させた場合に、凸部１０３が他のパネル１００の凹部１０４に嵌り、凹部１０４に他のパネル１００の凸部１０３が嵌るように構成される。また、パネル部材１００は、無垢材や集成材や合板等の木材で形成されてもよいし、木材パルプを原料とした合成繊維で形成されてもよいし、合成樹脂で形成されてもよい。合成樹脂としては、例えば、エチレン酢酸ビニル、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、合成樹脂としては、例えば、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、テフロン（登録商標）、ＡＢＳ樹脂、ＡＳ樹脂、アクリル樹脂、ポリアミド、ナイロン、ポリアセタール、ポリカーボネート、変性ポリフェニレンエーテル、ポリエステル、ポリエチレンテレフタレート、グラスファイバー強化ポリエチレンテレフタレート、ポリブチレンテレフタレート、環状ポリオレフィン等の高分子化合物が含まれるがこれら以外の高分子化合物が含まれてもよい。また、パネル部材１００には、上記の合成樹脂を発泡させた発泡プラスチックを用いるのが好適である。発泡させることでパネルの重量を抑えることが可能であると共に、断熱性を高めることが可能となる。また、パネル部材１００に発泡プラスチックを用いた場合に、内部に鉄筋を設ける構成であってもよい。内部に鉄筋を設けることで、パネルの強度を高めることが可能である。
【００１６】
パネル部材１００には、切取線１００ａ、１００ｂが設けられる。切り口１００ａ、１００ｂは、後述する救命筏として使用する場合においてポールを挿入させるための孔を作り出す切取線である。
【００１７】
連結軸２００は、パネル部材１００同士を連結させるための棒状の軸である。連結孔１０２に連結軸２００を通すことでパネル１００が連結される。連結軸２００は、円柱状であるが、端面が楕円の棒状であってもよいし、端面が多角形の棒状であってもよいし、管状であってもよい。また、連結軸２００は、パネル部材１００同士を連結させるために機能するが、建物の柱としても機能させることが可能である。このため、連結軸２００は、強度（引張強度、圧縮強度、曲げ強度）や剛性の高い材質を用いるのが好適であり、木材や金属を用いてもよいし、パネル部材１００よりも強度や剛性の高い樹脂材料（合成樹脂も含む）を用いてもよいし、グラスファイバーや炭素繊維等の材質を用いてもよい。また、連結軸２００は、管状（金属製）の内部に棒（木製）を詰めることで構成してもよい。また、連結軸２００を連結孔１０２に通した場合において、両端の凸部１０３に設けられた連結孔１０２に、軸受キャップ（ねじ込み式）を埋め込むことで、連結軸２００が動かないように固定する場合があってもよい。
【００１８】
図２は、連結軸２００を用いてパネル部材１００に入口１１０を設けたパネル部材１００を連結させた状態を示している。また、左側のパネル部材１００の連結形状１０１ｂと右側のパネル部材１００の連結形状１０１ａを嵌合し、連結形状１０１ａ、１０１ｂのそれぞれに設けられた連結孔１０２に連結軸２００を通すことで、パネル部材１００同士が連結される。また、凸部１０３と凹部１０４が嵌合する構成であるため、パネル部材１００が連結する角度を＋９０°（前方）〜−９０°（後方）の範囲で自由に定めることが可能となる。
【００１９】
図３は、本実施形態によるパネル部材３００の斜視図である。
【００２０】
パネル部材３００は、板状で構成され、板状の左端、右端、上端及び下端に、連結形状３０１ａ、３０１ｂ、３０１ｃ、及び３０１ｄがそれぞれ設けられる。連結形状３０１ａ、３０１ｂは、凸部１０３が６個、凹部１０４が６個からなり、連結形状３０１ｃ、３０１ｄは、凸部１０３が３個、凹部１０４が３個からなる。また、パネル部材３００は、集成材や合板等の木材で形成されてもよいし、木材パルプを原料とした合成繊維で形成されてもよいし、合成樹脂で形成されてもよい。合成樹脂としては、例えば、エチレン酢酸ビニル、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、合成樹脂としては、例えば、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、テフロン（登録商標）、ＡＢＳ樹脂、ＡＳ樹脂、アクリル樹脂、ポリアミド、ナイロン、ポリアセタール、ポリカーボネート、変性ポリフェニレンエーテル、ポリエステル、ポリエチレンテレフタレート、グラスファイバー強化ポリエチレンテレフタレート、ポリブチレンテレフタレート、環状ポリオレフィン等の高分子化合物が含まれるがこれら以外の高分子化合物が含まれてもよい。また、パネル部材３００には、上記の合成樹脂を発泡させた発泡プラスチックを用いるのが好適である。発泡させることでパネルの重量を抑えることが可能であると共に、断熱性を高めることが可能となる。また、パネル部材３００に発泡プラスチックを用いた場合に、内部に鉄筋を設ける構成であってもよい。内部に鉄筋を設けることで、パネルの強度を高めることが可能である。なお、パネル部材３００に上述の切取線１００ａ、１００ｂが設けられる場合があってもよい。
【００２１】
図４は、パネル部材３００を組み合わせた部屋設備４００の斜視図である。
【００２２】
部屋設備４００は、１２個のパネル部材３００（１個のパネル部材３００に入口を設けている。）を組み合わせることで構成される。
【００２３】
図５は、部屋設備４００の見取り図と部屋設備５００の見取り図である。部屋設備５００は、８個のパネル部材３００（１個のパネル部材３００に入口を設けている。）を組み合わせることで構成される。
【００２４】
図６は、部屋設備４００を集合させた集合部屋設備６００の見取り図である。また、部屋設備４００や部屋設備５００を様々な組合せで集合させた集合部屋設備を作り出すことも可能である。
【００２５】
図７は、パネル部材１００またはパネル部材３００をフロートとして用いた救命筏７００の正面図である。なお、外観に表れない隠れ線を点線にて表している。
【００２６】
救命筏７００は、複数のパネル部材２００またはパネル部材３００を連結したものを３層に重ねることで構成される。また、パネル部材２００またはパネル部材３００に設けられた切取線１００ａ、１００ｂのいずれかに複数のポール７０１が固定され、複数のポール７０１にビニール製の屋根７０３を架設する。なお、ポール７０１には、上述の連結軸２００を用いてもよい。
【００２７】
また、救命筏７００の上部に上述の部屋設備４００、５００を設ける場合があってもよいし、上述以外の部屋設備を設ける場合があってももちろんよい。また、この場合において、部屋設備４００、５００の外側部分に防水加工を施してもよい。
【００２８】
本実施形態によるパネル部材１００、３００は、以下の様に使用するのが好適である。
（実施例１）パネル部材１００、３００に合成樹脂（特に発泡プラスチック）を用いることで、軽量化を図ることが可能である。
（実施例２）パネル部材１００、３００を建物（特に学校の校舎）の屋上にて保管し、津波や洪水等の自然災害が発生した場合に、非常用の救命筏として用いる。
（実施例３）自然災害が発生した場合に体育館等の施設が避難所として用いられる場合において、パネル部材１００、３００を用いて、臨時の集合部屋設備（体育館等の屋内に設置する仮設住居や屋外の仮設住居等）を作ることができる。パネル部材１００、３００は、軽量化され、連結軸２００を用いることで簡単に連結することが可能であり、かつ様々な形状に組み合わせることが可能でもあるため、避難してきた人でも容易に集合部屋設備を作ることができる。特に、パネル部材１００、３００には断熱性に優れた発泡プラスチックを用いるのが好適である。
（実施例４）建築材としてパネル部材１００、３００を用いて、住宅等の建築物を建築してもよい。パネル部材１００、３００の連結に用いる連結軸２００が柱としても機能するため、柱の構造物を省略することが可能である。また、パネル部材１００、３００に断熱性に優れた発泡プラスチックを用いることで、断熱材も不要になる。
（実施例５）パネル部材１００、３００を用いて、持ち運び可能な倉庫（コンテナ）設備を作成してもよい。
【００２９】
次いで、図８〜図１３を用いて、本発明の第２の実施形態によるパネル部材１０００、２０００を説明する。なお、以下の全ての図面においては、理解を容易にするため、各構成要素の寸法や比率などは適宜異ならせて図示する場合がある。また、同じ構成については、符号を同一にすることでその説明を省略する場合がある。
【００３０】
図８は、パネル部材１０００の斜視図である。パネル部材１０００は、板状の基材の表面にシート状の合成皮革や合成樹脂を接着してなるパネルに、２つの切れ目（表側の切れ目と裏側の切れ目）を設けることで作られる。パネル部材１０００は、３つに分割されたパネル１００１がシート状の合成皮革や合成樹脂によって屏風状に連結して構成される。パネル部材１０００の基材は、木材パルプを原料とした合成繊維で形成されてもよいし、合成樹脂で形成されてもよい。合成樹脂としては、例えば、エチレン酢酸ビニル、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、合成樹脂としては、例えば、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、テフロン（登録商標）、ＡＢＳ樹脂、ＡＳ樹脂、アクリル樹脂、ポリアミド、ナイロン、ポリアセタール、ポリカーボネート、変性ポリフェニレンエーテル、ポリエステル、ポリエチレンテレフタレート、グラスファイバー強化ポリエチレンテレフタレート、ポリブチレンテレフタレート、環状ポリオレフィン等の高分子化合物が含まれるがこれら以外の高分子化合物が含まれてもよい。また、パネル部材１０００の基材には、上記の合成樹脂を発泡させた発泡プラスチックを用いるのが好適である。発泡させることでパネルの重量を抑えることが可能であると共に、断熱性を高めることが可能となる。また、パネル部材１０００の基材に発泡プラスチックを用いた場合に、内部に鉄筋を設ける構成であってもよい。内部に鉄筋を設けることで、パネルの強度を高めることが可能である。なお、本例のパネル部材１０００は、入口が設けられたパネル１００１を一つ備える構成であるが、入口が設けられないパネル１００１のみで構成される場合があってもよい。なお、
【００３１】
図９は、フロート１５００の正面図である。フロート１５００は、パネル部材１０００を折りたたむことで構成され、図７等に示す救命用筏のフロートとしても用いることが可能である。
【００３２】
図１０は、パネル部材２０００の斜視図と平面図である。パネル部材２０００は、板状の基材の表面にシート状の合成皮革や合成樹脂を接着してなるパネルに、２つの切れ目（表側の切れ目を２つ）を設けることで作られる。パネル部材２０００は、３つに分割されたパネル１００１がシート状の合成皮革や合成樹脂によってコの字状に連結して構成される。なお、本例のパネル部材２０００は、入口が設けられたパネル１００１を一つ備える構成であるが、入口が設けられないパネル１００１のみで構成される場合があってもよい。
【００３３】
図１１を用いて、二つのパネル部材２０００を用いて作り出すフロート２５００を説明する。図１１（ｂ）は、フロート２５００の正面図である。二つの折り畳んだパネル部材２０００を図１１（ａ）に示すように、重ね合わせて固定することで、図１１（ｂ）に示すフロート２５００が作り出される。
【００３４】
図１２は、パネル部材２０００を用いた避難用集合部屋設備３０００の見取り図であり、図１３は、パネル部材１０００、２０００を用いた避難用集合部屋設備４０００の見取り図である。このように、パネル部材１０００、２０００の組合せによって、最低限のプライバッシーを確保することを目的とした避難用集合部屋設備を簡単に作り出すことが可能である。
【００３５】
また、パネル部材１０００、２０００は、２箇所の切れ目を設けることで３つのパネルが連結する構成であるが、切れ目を１箇所として２つのパネルを連結するようにしてもよいし、３箇所以上の切れ目を設けることで４つ以上のパネルが連結する構成であってもよい。
【００３６】
本実施形態によるパネル部材１０００、２０００は、以下の様に使用するのが好適である。
（実施例１）パネル部材１０００、２０００の基材に合成樹脂（特に発泡プラスチック）を用いることで、軽量化を図ることが可能である。
（実施例２）パネル部材１０００、２０００を建物（特に学校の校舎）の屋上にて保管し、津波や洪水等の自然災害が発生した場合に、非常用の救命筏として用いる。
（実施例３）自然災害が発生した場合に体育館等の施設が避難所として用いられる場合において、パネル部材１０００、２０００を用いて、臨時の避難用集合部屋設備（体育館等の屋内に設置する仮設住居や屋外の仮設住居等）を作ることができる。パネル部材１０００、２０００は、軽量化され、かつ様々な形状に組み合わせることが可能でもあるため、避難してきた人でも容易に避難用集合部屋設備を作ることができる。特に、パネル部材１０００、２０００には断熱性に優れた発泡プラスチックを用いることで、パネル部材１０００、２０００を床として使用するのが適している。
【００３７】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００３８】
本発明は、パネル部材に関しにおいて広く利用可能である。本発明のパネル部材は、軽量化や連結容易性の向上によって、建築材としてのみならず、避難所等で用いるパネル部材や救命用筏のフロート材としても広く利用可能である。
【符号の説明】
【００３９】
１００、３００、１０００、２０００  パネル部材
１００ａ、１００ｂ  切取線
１０１ａ、１０１ｂ、３０１ａ〜ｄ  連結形状
１０２  連結孔
１０３  凸部
１０４  凹部
２００  連結軸
４００、５００  部屋設備
６００  集合部屋設備
７００  救命筏
７０１  ポール
７０３  屋根
１００１  パネル
１５００、２５００  フロート
３０００、４０００  避難用集合部屋設備
【図１】
2020105689.tif 000003
【図２】
2020105689.tif 000004
【図３】
2020105689.tif 000005
【図４】
2020105689.tif 000006
【図５】
2020105689.tif 000007
【図６】
2020105689.tif 000008
【図７】
2020105689.tif 000009
【図８】
2020105689.tif 000010
【図９】
2020105689.tif 000011
【図１０】
2020105689.tif 000012
【図１１】
2020105689.tif 000013
【図１２】
2020105689.tif 000014
【図１３】
2020105689.tif 000015